(57)【要約】【課題】パーソナルコンピュータの画面上に表示するウィンドウの表示状態に対応して、表示装置における画像表示状態を自動的に制御可能な表示システム、表示制御方法および表示制御プログラムを提供する。【解決手段】情報処理装置と、該情報処理装置の画面データを入力とする表示装置と、両装置間を接続する通信手段とからなる表示システムにおいて、前記情報処理装置は、ウィンドウの選択および該ウィンドウのサイズを検知し、これをウィンドウステータスとして表示装置における表示状態を制御する表示制御信号を、前記通信手段を介して送信し、前記表示装置は、該表示制御信号を受けて前記情報処理装置からの画面データの表示状態を制御することによって画像表示状態を自動的に制御可能とする。【選択図】        図１
2004287169.tif 000002
【特許請求の範囲】
【請求項１】
情報処理装置と、該情報処理装置の画面データを入力とする表示装置と、両装置間を接続する通信手段とからなる表示システムにおいて、
前記情報処理装置は、画面上に複数のウィンドウを表示するマルチウィンドウシステム上で、各ウィンドウの表示に係るインタフェースを提供するウィンドウマネージャにおいて、ウィンドウの選択および該ウィンドウのサイズを検知し、これをウィンドウステータスとして表示装置における表示状態を制御する表示制御信号を、前記通信手段を介して送信し、前記表示装置は、該表示制御信号を受けて前記情報処理装置からの画面データの表示状態を制御する事を特徴とする表示システム。
【請求項２】
前記表示装置は、画面上に表示される複数のウィンドウの内、選択されたウィンドウサイズが画面サイズより小さい場合、前記情報処理装置からの画面データを表示しない様に制御される事を特徴とする請求項１に記載の表示システム。
【請求項３】
請求項２において、前記情報処理装置からの画面データを表示しない場合、前記表示装置は、ブランク画像を表示する事を特徴とする表示システム。
【請求項４】
請求項２において、前記情報処理装置からの画面データを表示しない場合、前記表示装置は、直前に表示していた画面データを静止画状態として表示する事を特徴とする表示システム。
【請求項５】
前記表示装置は、画面上に表示される複数のウィンドウの内、選択されたウィンドウサイズが画面サイズに対して最大である場合、前記情報処理装置からの画面データを表示する様に制御される事を特徴とする請求項１に記載の表示システム。
【請求項６】
前記表示装置は、前記情報処理装置からの表示制御信号によって表示状態を制御される第一のモードと制御されない第二のモードとを選択可能な事を特徴とする請求項１に記載の表示システム。
【請求項７】
前記表示状態を制御される第一のモードにおいて、情報処理装置の画面データを表示しない場合、さらに表示装置がブランク画像を表示する第三のモードと、直前に表示していた画面データを静止画状態として表示する第四のモードとを選択可能なことを特徴とする請求項６に記載の表示システム。
【請求項８】
情報処理装置と、該情報処理装置の画面データを入力とする表示装置と、両装置間を接続する通信手段とからなる表示システムにおいて、
前記情報処理装置は、画面上に複数のウィンドウを表示するマルチウィンドウシステム上で、各ウィンドウの表示に係るインタフェースを提供するウィンドウマネージャにおいて、ウィンドウの選択および該ウィンドウのサイズを検知し、これをウィンドウステータスとして表示装置における表示状態を制御する表示制御信号を、前記通信手段を介して送信し、前記表示装置は、該表示制御信号を受けて前記情報処理装置からの画面データの表示状態を制御する事を特徴とする表示制御方法。
【請求項９】
前記表示装置は、画面上に表示される複数のウィンドウの内、選択されたウィンドウサイズが画面サイズより小さい場合、前記情報処理装置からの画面データを表示しない様に制御され、
選択されたウィンドウサイズが画面サイズに対して最大である場合、前記情報処理装置からの画面データを表示する様に制御される事を特徴とする請求項８に記載の表示制御方法。
【請求項１０】
請求項９において、前記情報処理装置からの画面データを表示しない場合、前記表示装置は、ブランク画像を表示する事を特徴とする表示制御方法。
【請求項１１】
請求項９において、前記情報処理装置からの画面データを表示しない場合、前記表示装置は、直前に表示していた画面データを静止画状態として表示する事を特徴とする表示制御方法。
【請求項１２】
情報処理装置と、該情報処理装置の画面データを入力とする表示装置と、両装置間を接続する通信手段とからなる表示システムにおいて、表示装置の表示状態を制御する表示制御プログラムであって、前記情報処理装置を、
画面上に複数のウィンドウを表示するマルチウィンドウシステム上で、各ウィンドウの表示に係るインタフェースを提供するウィンドウマネージャにおいて、ウィンドウの選択および該ウィンドウサイズの検知を行い、
選択されたウィンドウサイズが画面サイズより小さい場合、表示装置へ、前記情報処理装置からの画面データ表示をオフとする制御信号を送信し、
選択されたウィンドウサイズが画面サイズに対して最大である場合、表示装置へ、前記情報処理装置からの画面データ表示をオンとする制御信号を送信する様に機能させる事を特徴とする表示制御プログラム。
【発明の詳細な説明】
【０００１】
【発明の属する技術分野】
本発明は、パーソナルコンピュータで生成される画像データを外部モニタに出力して表示させるための表示システム、表示制御方法および表示制御プログラムに関し、特に外部モニタとしてプロジェクタを用いた場合に適用して好適なものである。
【０００２】
【従来の技術】
近年、パーソナルコンピュータにおける種々のアプリケーションソフトを利用して作成した文書や表、あるいはプレゼンテーションと言った様々なデータを、会議やプレゼンテーションなどの場において、フロントプロジェクタあるいはリアプロジェクタを利用して拡大投射して第三者に見せる機会が増加してきている。この場合、一般的にはパーソナルコンピュータのビデオ出力端子にプロジェクタを接続し、該パーソナルコンピュータで生成される画像データをそのまま表示している。
【０００３】
しかしながら、該方法ではアプリケーションソフトを利用して作成した会議あるいはプレゼンテーション資料の表示準備や、異なるアプリケーションソフトで作成した画像データの切換時などに見せたい情報以外の情報を見せてしまうことで、参加者の興味を散漫にしてしまう事がある。また、プロジェクタに接続するパーソナルコンピュータが個人に帰属するものであった場合、パーソナルコンピュータのデスクトップ画面に置いてあるアイコンの名称など第三者に見られたくない情報が表示されてしまうと言う不具合もある。
【０００４】
これを回避するために、例えば、パーソナルコンピュータがノート型の場合、第三者に見せても良い画面表示状態に設定してからパーソナルコンピュータのビデオ出力を手動で制御してオンにする方法が考えられる。あるいは、パーソナルコンピュータの画面表示を第三者に見せても良い状態に設定する間、プロジェクタの映像ミュート機能を利用してパーソナルコンピュータからの画像データの表示をオフにするなどの対応が考えられる。
【０００５】
また、例えば、下記特許文献１では、マルチウィンドウシステムにおいて表示される複数のウィンドウのうち、必要なウィンドウの画像データのみを出力することを可能にした表示制御装置が開示されている。
【０００６】
【特許文献１】
特開２０００−３３９１３０号公報
【０００７】
【発明が解決しようとする課題】
しかしながら、前記の方法では、表示装置における画面表示のオン／オフ制御を手動で行うため、画面表示状態に応じて的確なタイミングで表示制御を行う事が出来ないという問題があった。
【０００８】
また、上記、特許文献１で開示されている技術では、マルチウィンドウシステムにおいて表示される複数のウィンドウのうち、選択したウィンドウの画面データのみの出力を可能としているが、選択されたアクティブなウィンドウがない場合、通常の画面表示状態に設定され、従って第三者に見せたくない画像、例えばデスクトップ画面を表示せざるを得ないという問題があった。
【０００９】
そこで、本発明は、パーソナルコンピュータの画面上に表示するウィンドウの表示状態に対応して、表示装置における画像表示状態を自動的に制御可能な表示システム、表示制御方法および表示制御プログラムを提供する事を目的とするものである。
【００１０】
【課題を解決するための手段】
本発明は、上記課題を解決するために、
情報処理装置と、該情報処理装置の画面データを入力とする表示装置と、両装置間を接続する通信手段とからなる表示システムにおいて、
前記情報処理装置は、画面上に複数のウィンドウを表示するマルチウィンドウシステム上で、各ウィンドウの表示に係るインタフェースを提供するウィンドウマネージャにおいて、ウィンドウの選択および該ウィンドウのサイズを検知し、これをウィンドウステータスとして表示装置における表示状態を制御する表示制御信号を、前記通信手段を介して送信し、前記表示装置は、該表示制御信号を受けて前記情報処理装置からの画面データの表示状態を制御する事によって、
パーソナルコンピュータの画面上に表示するウィンドウの表示状態に対応して、表示装置における画像表示を制御可能な表示システムを実現出来る。
【００１１】
上記構成を、改めて以下（１）〜（１２）に整理して示す。
【００１２】
（１）情報処理装置と、該情報処理装置の画面データを入力とする表示装置と、両装置間を接続する通信手段とからなる表示システムにおいて、
前記情報処理装置は、画面上に複数のウィンドウを表示するマルチウィンドウシステム上で、各ウィンドウの表示に係るインタフェースを提供するウィンドウマネージャにおいて、ウィンドウの選択および該ウィンドウのサイズを検知し、これをウィンドウステータスとして表示装置における表示状態を制御する表示制御信号を、前記通信手段を介して送信し、前記表示装置は、該表示制御信号を受けて前記情報処理装置からの画面データの表示状態を制御する事を特徴とする表示システム。
【００１３】
（２）前記表示装置は、画面上に表示される複数のウィンドウの内、選択されたウィンドウサイズが画面サイズより小さい場合、前記情報処理装置からの画面データを表示しない様に制御される事を特徴とする上記（１）に記載の表示システム。
【００１４】
（３）上記（２）において、前記情報処理装置からの画面データを表示しない場合、前記表示装置は、ブランク画像を表示する事を特徴とする表示システム。
【００１５】
（４）上記（２）において、前記情報処理装置からの画面データを表示しない場合、前記表示装置は、直前に表示していた画面データを静止画状態として表示する事を特徴とする表示システム。
【００１６】
（５）前記表示装置は、画面上に表示される複数のウィンドウの内、選択されたウィンドウサイズが画面サイズに対して最大である場合、前記情報処理装置からの画面データを表示する様に制御される事を特徴とする上記（１）に記載の表示システム。
【００１７】
（６）前記表示装置は、前記情報処理装置からの表示制御信号によって表示状態を制御される第一のモードと制御されない第二のモードとを選択可能な事を特徴とする上記（１）に記載の表示システム。
【００１８】
（７）前記表示状態を制御される第一のモードにおいて、情報処理装置の画面データを表示しない場合、さらに表示装置がブランク画像を表示する第三のモードと、直前に表示していた画面データを静止画状態として表示する第四のモードとを選択可能なことを特徴とする上記（６）に記載の表示システム。
【００１９】
（８）情報処理装置と、該情報処理装置の画面データを入力とする表示装置と、両装置間を接続する通信手段とからなる表示システムにおいて、
前記情報処理装置は、画面上に複数のウィンドウを表示するマルチウィンドウシステム上で、各ウィンドウの表示に係るインタフェースを提供するウィンドウマネージャにおいて、ウィンドウの選択および該ウィンドウのサイズを検知し、これをウィンドウステータスとして表示装置における表示状態を制御する表示制御信号を、前記通信手段を介して送信し、前記表示装置は、該表示制御信号を受けて前記情報処理装置からの画面データの表示状態を制御する事を特徴とする表示制御方法。
【００２０】
（９）前記表示装置は、画面上に表示される複数のウィンドウの内、選択されたウィンドウサイズが画面サイズより小さい場合、前記情報処理装置からの画面データを表示しない様に制御され、
選択されたウィンドウサイズが画面サイズに対して最大である場合、前記情報処理装置からの画面データを表示する様に制御される事を特徴とする上記（８）に記載の表示制御方法。
【００２１】
（１０）上記（９）において、前記情報処理装置からの画面データを表示しない場合、前記表示装置は、ブランク画像を表示する事を特徴とする表示制御方法。
【００２２】
（１１）上記（９）において、前記情報処理装置からの画面データを表示しない場合、前記表示装置は、直前に表示していた画面データを静止画状態として表示する事を特徴とする表示制御方法。
【００２３】
（１２）情報処理装置と、該情報処理装置の画面データを入力とする表示装置と、両装置間を接続する通信手段とからなる表示システムにおいて、表示装置の表示状態を制御する表示制御プログラムであって、前記情報処理装置を、
画面上に複数のウィンドウを表示するマルチウィンドウシステム上で、各ウィンドウの表示に係るインタフェースを提供するウィンドウマネージャにおいて、ウィンドウの選択および該ウィンドウサイズの検知を行い、
選択されたウィンドウサイズが画面サイズより小さい場合、表示装置へ、前記情報処理装置からの画面データ表示をオフとする制御信号を送信し、
選択されたウィンドウサイズが画面サイズに対して最大である場合、表示装置へ、前記情報処理装置からの画面データ表示をオンとする制御信号を送信する様に機能させる事を特徴とする表示制御プログラム。
【００２４】
【発明の実施の形態】
以下、本発明の実施形態について説明する。
【００２５】
（実施の形態１）
本発明は、例えば図１に示すように構成された表示システムに適用される。
【００２６】
本表示システムは、画面データを出力するパーソナルコンピュータ１００と、表示装置２００とで構成される。それぞれの装置間はＲＧＢケーブル３００で接続され、パーソナルコンピュータ１００から表示装置２００へ画像データを供給してスクリーン５００上に画像を投射して表示する。また、パーソナルコンピュータ１００と表示装置２００との間は、制御ケーブル４００で接続されており、それぞれの装置間で表示制御信号を送受信して表示装置２００の表示状態を制御する。
【００２７】
図２は、前記パーソナルコンピュータ１００において行われる表示制御処理を示すフローチャートである。表示制御処理を開始すると、まずステップＳ２０１において、表示制御プログラムは、画面上に複数のウィンドウを表示するマルチウィンドウシステム上で、各ウィンドウの表示に係るインタフェースを提供するウィンドウマネージャを介して、現在アクティブなウィンドウのＩＤを取得する。ここで、ウィンドウＩＤの取得が出来ない場合、現在アクティブなウィンドウが無いということである。従って、第三者に対して表示出来る画面状態に設定されていないと判断して、ステップＳ２０４へ進む。
【００２８】
ステップＳ２０４では、表示装置２００を画面ミュート状態に制御する画面ミュート制御信号を、制御ケーブル４００を介して表示装置２００に対して送信する。画面ミュート制御信号を受信した表示装置２００は、ＲＧＢケーブル３００を介して入力されるパーソナルコンピュータ１００の画像データを表示するのではなく、例えば黒一色の空白画像を表示し、ステップＳ２０１へ戻る。
【００２９】
ステップＳ２０１でウィンドウＩＤの取得が出来た場合、現在アクティブなウィンドウがあると判断してステップＳ２０２へ進む。
【００３０】
ステップＳ２０２では、ウィンドウマネージャを介してＩＤを取得したウィンドウの表示サイズを調べ、ウィンドウサイズが画面サイズに対して最大でなければステップＳ２０４へ進み、前述した処理を行う。ウィンドウサイズが画面サイズに対して最大であると判別した場合、ステップＳ２０３へ進む。
【００３１】
ステップＳ２０３では、現在アクティブなウィンドウがあり、且つ該ウィンドウが画面サイズに対して最大表示されていることで第三者に対して表示出来る状態に設定されていると判断して、表示装置２００を画面ミュート状態から解除する画面ミュート解除信号を、制御ケーブル４００を介して表示装置２００に対して送信する。画面ミュート解除信号を受信した表示装置２００は、ＲＧＢケーブル３００を介して入力されるパーソナルコンピュータ１００の画像データを表示し、ステップＳ２０１へ戻る。
【００３２】
図３〜図５は、前記パーソナルコンピュータ１００における画面表示の例を示す。図３は、例えば米国マイクロソフト社製のＷｉｎｄｏｗｓ（登録商標）９８の様なオペレーティングシステム（ＯＳ）で動作するパーソナルコンピュータを起動した時点における画面状態を示す。画面上にアイコン１０１０のみが表示されている状態であり、従って、表示装置２００はブランク画像表示となる。図４は、表計算ファイル１０２０と文書ファイル１０３０を起動してそれぞれのウィンドウを表示している状態である。その内、表計算ファイルのウィンドウ１０２０が現在アクティブになっているが、画面サイズに対して最大表示になっていないので、表示装置２００はブランク画像表示となる。図５は、図４でアクティブであった表計算ファイルのウィンドウ１０２０を表示装置の画面サイズ一杯に最大表示した状態であり、表示装置２００は表計算ファイルのウィンドウ１０２０を最大表示した画像を表示する。
【００３３】
表示制御プログラムは、一定時間毎にウィンドウマネージャにポーリングして現在アクティブなウィンドウの表示情報を取得し、本フローに示す画面制御処理を行う事によって、画面表示状態の変化に即時対応することが出来る。
【００３４】
以上、本構成によれば、パーソナルコンピュータ１００上でのウィンドウの表示状態に対応して表示装置２００の表示状態を自動的に制御可能であり、本来見せたい表示データのみを見せることが出来る。
【００３５】
（実施の形態２）
本発明に係る第２の実施形態における表示制御処理を示すフローチャートを図６に示す。なお、システム構成は、第１の実施形態と同様である。
【００３６】
ステップＳ６０１およびステップＳ６０２は、第１の実施例で説明した様にパーソナルコンピュータ１００上でのウィンドウの表示状態を検知する。ステップＳ６０１で現在アクティブなウィンドウが無いと判別された場合、およびステップＳ６０２で現在アクティブなウィンドウのサイズが最大化されていないと判別された場合、ステップＳ６０４へ進む。
【００３７】
ステップＳ６０４で、パーソナルコンピュータ１００は、表示装置２００を画面フリーズ状態に制御する画面フリーズ制御信号を、制御ケーブル４００を介して表示装置２００に送信する。画面フリーズ制御信号を受信した表示装置２００は、ＲＧＢケーブル３００を介して入力されるパーソナルコンピュータ１００の画像データを表示するのではなく、表示装置２００が画面フリーズ制御信号を受信する直前に表示していた画像データを静止画で表示する。この表示状態では、表示装置２００において表示画面データは更新されない。
【００３８】
ステップＳ６０１およびステップＳ６０２で現在アクティブなウィンドウが有り、該ウィンドウのサイズが最大化されていると判別された場合、第三者に対して表示出来る状態に設定されたと判断してステップＳ６０３へ進む。ステップＳ６０３で、パーソナルコンピュータ１００は、表示装置２００を画面フリーズ状態から解除する画面フリーズ解除信号を、制御ケーブル４００を介して表示装置２００に送信する。画面フリーズ解除信号を受信した表示装置２００は、ＲＧＢケーブル３００を介して入力されるパーソナルコンピュータ１００の画像データを表示し、ステップＳ６０１へ戻る。
【００３９】
表示制御プログラムは、一定時間毎にウィンドウマネージャにポーリングして現在アクティブなウィンドウの表示情報を取得して、本フローに示す画面制御処理を行う事によって、画面表示状態の変化に即時対応することが出来る。
【００４０】
以上、本構成によれば、パーソナルコンピュータ１００上でのウィンドウの表示状態に対応して表示装置２００の表示状態を自動的に制御可能であり、本来見せたい表示データのみを見せることが出来る。
【００４１】
（実施の形態３）
本発明に係る第３の実施形態における表示制御処理を示すフローチャートを図７に示す。ここでシステム構成は第１の実施形態と同様であるが、表示装置２００に表示制御モード設定切換手段を備える。
【００４２】
表示制御処理を開始すると、まずステップＳ７０１において、表示システムが表示制御を行う表示制御モードであるか否かを判別する。ここで判別は、表示装置２００を表示制御モードに設定するか否かで行っても良い。表示制御モードに設定されていなければ、表示制御モードに設定されるまで待機する。表示制御モードである場合、ステップＳ７０２へ進む。
【００４３】
ステップＳ７０２、Ｓ７０３、Ｓ７０４、そしてＳ７０５の処理は、第１の実施例と同様である。一連の処理後、ステップＳ７０６へ進み、表示制御モードが解除されるか否かを判別する。ここで表示制御モードが解除されない場合、ステップＳ７０２へ戻り、パーソナルコンピュータ１００上におけるウィンドウ表示状態を監視しつつ表示装置２００の表示状態を制御する。ここで表示制御モードが解除された場合、ステップＳ７０７へ進み、パーソナルコンピュータ１００は、表示装置２００へ画面ミュート解除信号を送信する。画面ミュート解除信号を受信した表示装置２００は、その時点で画像ミュート状態である無しに係らず通常の画面表示、すなわちＲＧＢケーブル３００を介して入力されるパーソナルコンピュータ１００の画像データを表示する。その後、ステップＳ７０１へ戻り、表示制御モードの待機状態となる。
【００４４】
ここで、ステップＳ７０１およびＳ７０７をパーソナルコンピュータ１００からの制御ではなく、表示装置２００のハード的操作によって設定するようにする事も出来る。この場合、表示装置２００の機能として強制的に表示制御モードから抜ける事が出来る。
【００４５】
以上、本構成によれば、表示制御モードにするか否かを選択可能とする事によって、画面表示状態の設定自由度を持たせる事が出来る。
【００４６】
（実施の形態４）
本発明に係る第４の実施形態における表示制御処理を示すフローチャートを図８に示す。なお、システム構成は、第３の実施形態と同様である。
【００４７】
本実施例は、実施の形態３においてパーソナルコンピュータ１００上で現在アクティブなウィンドウが無い場合、あるいは最大化表示されていない場合に表示装置２００の表示をブランク画像としていたところを、直前に表示していた画像を静止画像として表示するようにしたものである。
【００４８】
以上、本構成によれば、表示制御モードとするか否かを選択可能とする事によって、画面表示状態の設定自由度を持たせる事が出来る。
【００４９】
（実施の形態５）
本発明に係る第５の実施形態における表示制御処理を示すフローチャートを図９に示す。なお、システム構成は、第３の実施形態と同様であるが、更に表示装置２００に表示制御モード時の表示画像を選択する手段を備える。
【００５０】
ステップＳ９０１で表示制御モードにあることが判別されるとステップＳ９０２へ進み、表示制御を行う場合にブランク画像を表示するか直前の画像を静止画状態で表示するかを選択する。ここの選択結果は、ステップＳ９０３およびステップＳ９０４において現在アクティブなウィンドウが無い場合、あるいは在っても最大化表示されていない場合の処理に係る。ステップＳ９０６で、表示制御時にどちらの画像表示を行うかを判別して、ブランク画像表示に設定されている場合は、ステップＳ９０７へ進んで画面ミュート処理を行い、フリーズ画面表示に設定されている場合は、ステップＳ９０８へ進んで画面フリーズ処理を行う。
【００５１】
以上、本構成によれば、表示制御モードとするか否かを選択可能とすると共に、表示制御を行う場合の表示画像を選択可能とする事によって、画面表示状態の設定自由度をさらに広げることが出来る。
【００５２】
【発明の効果】
以上説明したように、本発明によれば、
パーソナルコンピュータにおける表示データの表示状況に応じて自動的に表示装置の映像ミュートが掛けられるので、本来見せたい表示データのみを見せることが出来、参加者の興味を散漫にすることを防ぐ事が出来る。
【００５３】
また、個人所有のパーソナルコンピュータを用いた場合には、パーソナルコンピュータのデスクトップ情報を隠す事が出来るため、デスクトップ上に置いてあるアイコンなどから仕事上などのプライベートな情報を見られる事を防ぐ事が出来る。
【図面の簡単な説明】
【図１】本発明に係る表示システムの概略構成図
【図２】本発明の第１の実施例に係る表示制御処理方法に係るフローを示すフローチャート
【図３】パーソナルコンピュータの画面における表示状態の一例を示す図
【図４】パーソナルコンピュータの画面における表示状態の一例を示す図
【図５】パーソナルコンピュータの画面における表示状態の一例を示す図
【図６】本発明の第２の実施例に係る表示制御処理方法に係るフローを示すフローチャート
【図７】本発明の第３の実施例に係る表示制御処理方法に係るフローを示すフローチャート
【図８】本発明の第４の実施例に係る表示制御処理方法に係るフローを示すフローチャート
【図９】本発明の第５の実施例に係る表示制御処理方法に係るフローを示すフローチャート
【符号の説明】
１００  パーソナルコンピュータ
２００  表示装置
３００  ＲＧＢケーブル
４００  制御ケーブル
５００  スクリーン
１０１０  アイコン
１０２０  表計算ファイルのウィンドウ
１０３０  文書ファイルのウィンドウ
【図１】
2004287169.tif 000003
【図２】
2004287169.tif 000004
【図３】
2004287169.tif 000005
【図４】
2004287169.tif 000006
【図５】
2004287169.tif 000007
【図６】
2004287169.tif 000008
【図７】
2004287169.tif 000009
【図８】
2004287169.tif 000010
【図９】
2004287169.tif 000011